(57)【特許請求の範囲】
【請求項１】
支承盤台と展示物上載台座との間に振動エネルギーを吸収するための摩擦ダンパーを備えた免震装置を配備し、展示物上載台座上に所定の積載重量を載置した際に摩擦ダンパーの摩擦係数を所定の摩擦係数に設定して成る展示用免震台であって、
摩擦ダンパーを備えた免震装置は、
支承盤台と展示物上載台座の間に配置した上下一対のレール間に、少なくとも複数のローラを、展示物上載台座に上載された展示物の上載荷重がこれらローラとレールに加わるように配置すると共に、各ローラの回転軸を、これらの転動と移動が一体に行われるように、ローラ連結板に円筒孔で構成された軸受部で支承して当該ローラ連結板によって結合し、これら回転軸と軸受部間に摩擦ダンパーを装備することで構成し、
摩擦ダンパーに設定した摩擦係数の下に、展示物上載台座の積載重量を所定の積載重量に調整するための重しを展示物上載台座に装備することを特徴とする展示用免震台。
【請求項２】
重しが、展示物上載台座に穿った重し収納部内に装備されることを特徴とする請求項１に記載の展示用免震台。
【請求項３】
摩擦ダンパーを備えた免震装置が、直交方向に積層して配置されることを特徴とする請求項１又は２に記載の展示用免震台。
【請求項４】
請求項１乃至３のいずれかに記載の展示用免震台を用い、展示物上載台座上に所定の積載重量が載置された際に摩擦ダンパーの摩擦係数が所定の摩擦係数になるように予め設定して置き、展示物上載台座上に展示物を載置した後に、展示物上載台座上の積載重量が所定の積載重量になるように、展示物上載台座に装備している重しを着脱して調整することを特徴とする展示用免震台の積載重量調整方法。
【発明の詳細な説明】
【０００１】
【発明の属する技術分野】
本発明は、展示用免震台及びその積載重量調整方法に関し、特に、簡素な形態を確立しながら所望の免震作用を発揮するようにダンパー特性の調整を容易にすると共に、美観を損ねないように構成した展示用免震台及びその積載重量調整方法に関する。
【０００２】
【従来の技術】
最近の展示台座においては、展示物を地震による災害から回避させるために、展示台座の内部に免震装置を採用している。展示台座における免震装置は、支承盤台と展示物上載台座との間に配備して、展示台座に載置した展示物を支持するものであり、地震等で支承盤台が水平方向に移動しても、展示物が上載された展示物上載台座を慣性力によって直ちに移動させずに振動周期を長期化させ、これによって、展示物との共振状態を防ぐことで地震等の外部入力に対する展示物上載台座の応答加速度を減少させて、展示物に伝達するエネルギーを軽減させるものである。
【０００３】
一方、展示台座の免震装置には、地震等に対する免震機能に加えて、鑑賞者等が展示物に触ることで無意識に与える揺動から、これを回避する機能も求められている。
【０００４】
これらの要求性能は、展示用免震台の水平変位と応答加速度に関係してくるものであるが、水平変位と応答加速度とをダンパーの抵抗力で解決することを考えると、ダンパーの摩擦抵抗力を大きくすると水平変位は小さくなるが、応答加速度は大きくなり、反対に、ダンパーの摩擦抵抗力を小さくすると応答加速度は小さくなるが、水平変位は大きくなると言う具合に相反する要求であり、水平変位と応答加速度とを要求される範囲に収めるためには、ダンパーの摩擦抵抗力を詳細に検討する必要があり、設計上の大きなテーマになっている。
【０００５】
加えて、展示用免震台は、展示物に合わせてそれ自体も展示されるものであり、同様に衆目の的になることから、構造面からの要求として可能な限り簡素な小型軽量の機構が求められている。
【０００６】
上記の要求を受けた従来の展示用免震台は、その例を図７に展示用免震台３０として示すように、支承面３１上に支持プレート３２を介在させて免震装置３３を設置すると共に、免震装置３３の始動と振動を制限するために粘性ダンパー４０Ａ、Ｂを配設して構成されており、免震装置３３の上面には展示物を載置する展示物上載台座３４が設けられている。
【０００７】
これらの展示用免震台３０では、免震装置３３として、単一方向免震装置３３Ａ、３３Ｂを上下に直交させた状態に重ね合わせることで、全ての水平方向に対応できるように構成されている。
【０００８】
単一方向免震装置３３は、上下一対のコサインレール３６Ａ、３６Ｂの対向面にコサインカーブを描く凹弧状のローラー案内面３７を形成しており、このローラ案内面３７の間に複数のローラー３８、３８を転動自在に介在させて構成している。
【０００９】
上下一対のコサインレール３６Ａ、３６Ｂは、地震時に支承面３１が水平方向に移動すると、ローラー３８がローラー案内面３７の上で転動することから、お互いに反対の方向にずれ始める。ずれは、ローラー３８が各コサインレール３６Ａ、３６Ｂのローラー案内面３７に沿って転動する状態に従って発生するが、ローラー３８がローラー案内面３７の端部に近づくと、ローラー３８が凹弧状のコサインカーブに沿って移動するために、上のコサインレール３６Ａが上方に持ち上げられる。
【００１０】
このような持上げ力に対しては、ローラー３８とコサインレール３６Ａに加えられている上載荷重が作用して、ずれを元に戻そうとする力が作用することになるので、各単一方向免震装置３３Ａ、３３Ｂは復元力を発揮することになる。
【００１１】
従って、地震時の水平力が収まると、上下一対のコサインレール３６Ａ、３６Ｂは、ずれによって生じる振動を収斂させて、展示物上載台座に上載された展示物を移動させること無く免震効果を発揮している。
【００１２】
一方、各単一方向免震装置３３Ａ、３３Ｂに配設されている各粘性ダンパー４０Ａ、４０Ｂは、下コサインレール３６Ｂの長さ方向に沿って配置した長方形状の溝容器４１に粘性体４２を収納し、この粘性体４２中に上コサインレール３６Ａの長さ方向の任意点に設けた抵抗板４３を没入させることで構成されている。
これによって、上下コサインレールの間に相対移動が生じた際には、各粘性ダンパー４０が粘性抵抗を発生させて、免震装置の過大な移動変位を抑制する機能を発揮している。
【００１３】
しかしながら、各粘性ダンパー４０は、液体状の粘性体を使用していることから、大きな構造を余儀なくされており、構造的に嵩張った重い重量物になっている。
【００１４】
又、その作動状態においても、移動速度が増大するに連れて減衰力が増大するが、速度０の近傍では減衰力が小さくなるという流動機能を有しているために、鑑賞者等が展示物に無意識のうちに触るような小さな力が展示用免震台に作用した場合には、展示用免震台の初期始動を抑制する機能に不足するという問題点を生じている。
【００１５】
さらに、上載している展示物が変更になった場合には、その上載荷重が変化することで展示用免震台の摩擦抵抗力が変化することになり、展示物上載台座の水平変位と応答加速度にも変化が生じることになる。特に、展示物が軽くなった場合には水平変位が大きくなって規定された範囲から逸脱する危険性が発生するが、このための調整は、使用している粘性体を変更することでの対応になることから殆ど不可能である。
【００１６】
以上のように、従来の展示用免震台は、粘性ダンパーを使用していることから大型の重量物を形成さざるを得ない状況にあり、その性能面においても水平変位と応答加速度とを要求される範囲に収めることやその調整に困難な状況を提示して問題の解決を求められており、結果的に美観面において改良を求められていた。
【００１７】
【発明が解決しようとする課題】
本発明は、上述した展示用免震台における機能面と構造面の問題点に鑑みて、その解決を図るために提案するものであり、初期始動を抑制する機能を付加した免震機能を維持しながら、展示物上載台座に上載する展示物の変更に際しても、展示物上載台座の水平移動距離を所定の範囲に止めるためにその重量調整を容易にすると共に、構造面においても小型軽量化と美観を顕示した展示用免震台を提供している。
【００１８】
【課題を解決するための手段】
本発明による展示用免震台は、基本的に、支承盤台と展示物上載台座との間に振動エネルギーを吸収するための摩擦ダンパーを備えた免震装置を配備し、展示物上載台座上に所定の積載重量を載置した際に摩擦ダンパーの摩擦係数を所定の摩擦係数に設定して成る展示用免震台であって、摩擦ダンパーを備えた免震装置は、支承盤台と展示物上載台座の間に配置した上下一対のレール間に、少なくとも複数のローラを、展示物上載台座に上載された展示物の上載荷重がこれらローラとレールに加わるように配置すると共に、各ローラの回転軸を、これらの転動と移動が一体に行われるように、ローラ連結板に円筒孔で構成された軸受部で支承して当該ローラ連結板によって結合し、これら回転軸と軸受部間に摩擦ダンパーを装備することで構成し、摩擦ダンパーに設定した摩擦係数の下に、展示物上載台座の積載重量を所定の積載重量に調整するための重しを展示物上載台座に装備しており、具体的には、重しを展示物上載台座に穿った重し収納部内に装備することと、上記摩擦ダンパーを備えた免震装置を直交方向に積層配置して全方位に対応することを特徴としている。
【００１９】
又、本発明による展示用免震台の積載重量調整方法は、上記展示用免震台を用い、展示物上載台座上に所定の積載重量が載置された際に摩擦ダンパーの摩擦係数が所定の摩擦係数になるように予め設定して置き、展示物上載台座上に展示物を載置した後に、展示物上載台座上の積載重量が所定の積載重量になるように、展示物上載台座に装備している重しを着脱して調整することを特徴としている。
【００２０】
【発明の実施の形態】
本発明による展示用免震台は、支承盤台と展示物上載台座との間に振動エネルギーを吸収するための摩擦ダンパーを備えた免震装置を配備し、展示物上載台座上に所定の積載重量を載置した際に摩擦ダンパーの摩擦係数を所定の摩擦係数に設定して成る展示用免震台であって、摩擦ダンパーを備えた免震装置は、支承盤台と展示物上載台座の間に配置した上下一対のレール間に、少なくとも複数のローラを、展示物上載台座に上載された展示物の上載荷重がこれらローラとレールに加わるように配置すると共に、各ローラの回転軸を、これらの転動と移動が一体に行われるように、ローラ連結板に円筒孔で構成された軸受部で支承して当該ローラ連結板によって結合し、これら回転軸と軸受部間に摩擦ダンパーを装備することで構成し、摩擦ダンパーに設定した摩擦係数の下に、展示物上載台座の積載重量を所定の積載重量に調整するための重しを展示物上載台座に装備させている。以下に、本発明の実施の形態を図面に基づいて説明する。
【００２１】
図１は、本発明による展示用免震台の斜視図であり、摩擦ダンパーを備えた免震装置を明示するために、支承盤台及び展示物上載台座の周辺に配置される外装板を一部省略した状態で表示している。
【００２２】
本実施の形態における展示用免震台１は、図示のように支承盤台２と展示物上載台座３及びその間に配置される摩擦ダンパーを備えた免震装置４と展示物上載台座３に装備された重し１３から構成されているが、その詳細については、図２〜４の平面図と両側面図に基づいて詳細に説明する。
【００２３】
本発明による展示用免震台は、上記の構成によって地震による水平力が加えられても、支承盤台２と展示物上載台座３との間に配置される摩擦ダンパーを備えた免震装置４によってこれを吸収することで、展示物上載台座３の上に載置される展示物が破壊されることを阻止している。
【００２４】
又、免震装置４の初期始動は、免震装置４に備えられた摩擦ダンパーの摩擦係数の設定によって抑制されており、鑑賞者等が展示物に無意識に触ることで発生するような小さな外力に対しては、展示物上載台座３が揺動しないことから、展示物上載台座３の上に載置されている展示物が転倒破壊されることを回避している。
【００２５】
支承盤台２は、図２の平面図に示すように平行に配置されて長辺５、５を形成するＬ型鋼と、これに直交して配置されて短辺６、６を形成するＬ型鋼とを一体に組合わせることで、架台フレーム７を形成している。架台フレーム７の内側には、免震装置４を取り付けるための支持枠８、８とこれを補強するために支持枠８、８の中間部分に亘って配置される支持枠９（図３において表示されている）が配設されており、架台フレーム７の４隅と長辺の中間部には、架台フレーム７を支持してその水平度を確立する６個の調整脚部材１０が配置されている。
【００２６】
展示物上載台座３は、後述するところの上段に配置される単一方向免震装置４Ｂの上に配備されており、単一方向免震装置４Ｂの両側のコサインレール１２Ａ、１２Ａ間に亘ってこれを連結する形態に形成されており、展示物上載台座３には、着脱自在な二枚の重し１３、１３が装備されている。
【００２７】
支承盤台２の周辺と展示物上載台座３の上面及び周辺には、外装板２６が配置されており、これによって、展示用免震台１を一体のものとして簡素な状態に纏めることで美観を保つ役割を果たしている。
【００２８】
免震装置４は、架台フレーム７の支持枠８、８に設置される単一方向免震装置４Ａと、これと直交させて単一方向免震装置４Ａの上に設置される単一方向免震装置４Ｂから構成されており、図３、４に示す展示用免震台の両側面図において表示されている。
【００２９】
本実施の形態における単一方向免震装置４Ａは、図３の側面図で明らかなように、架台フレーム７の支持枠９で補強されている支持枠８、８上に配置される上コサインレール１１Ａと、上コサインレール１１Ａと対峙しながら、２個に分割されてそれぞれがベースプレート１１Ｃ上に載置されて支持枠８、８に結合される下コサインレール１１Ｂ、１１Ｂ及びその間に配置されるローラー１４、１４から構成されている。ローラー１４、１４は、両側に配置したローラー連結板１５、１５によって結合されており、転動と移動が一体に行われるように構成されている。
【００３０】
上コサインレール１１Ａの両端部と下コサインレール１１Ｂには、コサインカーブを描く凹弧状のローラー案内面１６が形成されており、上記ローラー１４は対峙するローラー案内面１６、１６間に配置されて、上下コサインレールのずれに従って容易に転動可能な状態に構成されている。
【００３１】
これによって、地震時に支承盤台２が、単一方向免震装置４Ａの方向に水平移動しても、展示物上載台座３をその慣性力と上記ローラー１４の転動とによって、直ちに移動させずに振動周期を長期化させることを可能にしており、展示物との共振状態を防ぎながら地震等の外部入力に対する展示物上載台座の応答加速度を減少させて、展示物に伝達するエネルギーを軽減させている。
【００３２】
又、上下コサインレール１１Ａ、１１Ｂは、地震時に支承盤台２が水平方向に移動すると、ローラー１４がローラー案内面１６の上で転動することから、お互いに反対の方向にずれ始めるが、このずれは、ローラー１４が各コサインレール１１Ａ、１１Ｂのローラー案内面１６に沿って転動する状態に従って行われる。
【００３３】
従って、ローラー１４は、ローラー案内面１６の端部に近づくと、両端部で持ち上がっているローラー案内面１６に沿って上方に押し上げられて、上コサインレール１１Ａを上方に持ち上げることになる。
【００３４】
このような持上げ力に対しては、ローラー１４とコサインレール１１Ａに加えられている上載荷重が作用することになり、ずれを元に戻そうとする力が作用する。
【００３５】
このために、単一方向免震装置４Ａには復元力が発生することになって、地震時の水平力が収まると、上下一対のコサインレール１１Ａ、１１Ｂは、ずれによって発生していた振動を収斂させて、展示物上載台座に上載された展示物を移動させないように免震効果を発揮している。
【００３６】
一方、単一方向免震装置４Ａの両端上にこれと直交状態で設置される単一方向免震装置４Ｂは、図４の側面図で明らかなように、互いに対峙している一対の上下コサインレール１２Ａ、１２Ｂとその間に配置されるローラー１４、１４から構成されている。ローラー１４、１４は、両側に配置したローラー連結板１７、１７によって結合されており、転動と移動が一体に行われるように構成されている。
【００３７】
上下コサインレール１２Ａ、１２Ｂの両端部には、コサインカーブを描く凹弧状のローラー案内面１６が形成されており、上記ローラー１４は対峙するローラー案内面１６、１６間に配置されて、上下コサインレールのずれに従って容易に転動可能な状態に構成されている。
【００３８】
従って、地震時に支承盤台２が単一方向免震装置４Ｂの方向に水平移動する場合にも、単一方向免震装置４Ａの場合と同様に機能し、展示物に伝達するエネルギーの軽減や振動の収斂による免震効果を可能にしている。
【００３９】
尚、本実施の形態では、免震装置として、両端部にコサインカーブを描く凹弧状のローラー案内面を形成した上下コサインレールと、その対峙するローラー案内面間にローラー連結板によって結合されたローラーを配置して成る単一方向免震装置を採用しており、摩擦ダンパーについても、後述するようにローラー連結板とローラーとの間に装備することが容易な方式のものを配置しているが、免震装置及び摩擦ダンパーについては、これらの実施の形態に何ら限定されるものではない。
【００４０】
次に、本発明による展示用免震台に配置されている免震装置と、これに装備した摩擦ダンパーの機能について説明する。
【００４１】
展示用免震台の設計において、要求性能の前提として設定される条件は、展示する上載物の最大重量（ｍｇ）と水平移動量（δ）であり、これらの各数値に従って振動解析が行われ、摩擦係数（μ）の下限値として、上載物が最大重量である場合にも展示用免震台の水平移動量が規定値を超越しないようにする適正摩擦係数（μ0）が設定される。
【００４２】
これによって、最大重量に対する適正摩擦抵抗力（Ｆ0）が、Ｆ0＝μ0ｍｇとして設定されることになり、適正摩擦抵抗力（Ｆ0）以上のの範囲において、展示用免震台における最大重量を考慮した展示物上載台座の重量（ＤＬ）と上載する展示物重量（ＬＬ１）及び展示物上載台座に装備する重しの重量（ＬＬ２）における設定範囲の決定が成され、上記展示物上載台座の重量（ＤＬ）と重しの重量（ＬＬ２）の下で、上載する展示物重量（ＬＬ１）を許容するための摩擦抵抗力（Ｆ）と摩擦係数（μ）の下限値における調整が行われることになる。
【００４３】
即ち、展示用免震台における摩擦抵抗力（Ｆ）は、Ｆ＝μ（ＤＬ＋ＬＬ１＋ＬＬ２）であるから、展示物上載台座の重量（ＤＬ）が構造設計的に決定された後は、上載物の最大重量（ｍｇ）の範囲で適正摩擦抵抗力（Ｆ0）と適正摩擦係数（μ0）内に納めることで、上載物の重量に対して水平移動量を超越させないようにするためには、上載する展示物重量（ＬＬ１）と重しの重量（ＬＬ２）とは、上述したように適正摩擦抵抗力（Ｆ0）が、Ｆ0＝μ0ｍｇであることから、ＬＬ１＋ＬＬ２＝ｍｇ−ＤＬとして一定になるように設定することで調整することになる。
【００４４】
このことから、上載する展示物重量（ＬＬ１）に対して、展示用免震台を適切に作動させるために必要な摩擦係数（μ0）と適正摩擦抵抗力（Ｆ0）とを予め特定の値に設定して置いた場合には、これに対する重しの重量（ＬＬ２）を調整することで、上載物の重量に対して水平移動量を超越させないように設定することが出来るものであり、仮に上載する展示物を変更する必要が発生した時にも、摩擦係数（μ0）と適正摩擦抵抗力（Ｆ0）とを維持させるように、展示物上載台座の重量をそれに見合った重しの着脱によって調整することで水平移動量を超越しない範囲に収めることが出来る。
【００４５】
又、必要な摩擦係数（μ）を決定するためには、上載する展示物が揺動によって転倒しないように配慮する必要がある。この検討は、摩擦係数（μ）の上限値を決定するものであり、そのためには、上載する展示物のアスペクト比（Ａｓ）と展示用免震台の応答加速度（α）とを考慮することになる。
【００４６】
アスペクト比（Ａｓ）と摩擦係数（μ）との関連は、摩擦係数（μ）が展示用免震台の応答加速度（α）と重力加速度をβ倍にした入力加速度（βｇ）との比と考えられることを加味することで、摩擦力と重量とを関連付けた算出式を基にして算出することが可能であり、上載する展示物を転倒させないための摩擦係数（μ）は、１／βＡｓ以下にすることが必要になる。
【００４７】
しかしながら、実際の展示においては展示物の形状が定まらないことから、アスペクト比を特定できない場合も発生してくるものであり、このような場合における摩擦係数（μ）は、次のように決定することになる。
【００４８】
このような場合の応答加速度（α）に関しては、一般的に震度によって規定されている加速度、例えば、震度４以下であれば８０〜１００ｃｍ／ｓ２、もしくは安全と考えられる特定値１００ｃｍ／ｓ２を以て、これを所定の応答加速度（α）として採用することにする。
【００４９】
又、入力加速度（βｇ）についても、例えば、震度７の場合の地震による入力加速度（βｇ）は４００ｃｍ／ｓ２以上と決定されているように、想定される地震の大きさによって予め決定されている入力加速度の数値を以て、これを所定の入力加速度（βｇ）として採用することにする。
【００５０】
従って、展示物の形状が定まらない場合の摩擦係数（μ）は、これらの各数値が決定されることで、応答加速度（α）と入力加速度（βｇ）との比として、上記の数値を一義的に算定することで、その上限値を決定することになる。
【００５１】
以上のように、免震装置における摩擦ダンパーの調整と設定は、以上の各状況も勘案しながら摩擦係数（μ）の最終的な数値を設定することになるが、本発明では、免震装置における摩擦ダンパーの摩擦係数及び摩擦抵抗力を予め設定して置きながら、上載する展示物に合わせて免震装置に装備した重しを着脱することで展示物上載台座の積載重量を調整することを特徴としているものであり、これによって、展示用免震台の摩擦抵抗力を最終的に制御することで、展示物の重量に合わせて上載する展示物を転倒させずに、規定の水平移動量を超越しないように調整している。
【００５２】
図５は、本実施の形態で採用した摩擦ダンパーにおける摩擦係数の調整機構であり、摩擦ダンパーの斜視図（ａ）と斜視図（ａ）の（ｂ）−（ｂ）矢視図（ｂ）及び斜視図（ａ）の（ｃ）−（ｃ）矢視図（ｃ）である。
【００５３】
摩擦ダンパー２０が装備されている単一方向免震装置は、上述のように互いに対峙している一対の上下コサインレールとその間に配置されるローラー１４から構成されており、ローラー１４は、両側に配置したローラー連結板１７によって結合されて転動と移動が一体に行われるように構成されている。
【００５４】
各ローラー１４は、その回転軸１８をローラー連結板１７の軸受部１９で支承されており、回転軸１８と軸受部１９との間に摩擦抵抗力を調整することが可能な摩擦ダンパー２０を介在させてＯリング２１等によって抜け止めされている。
【００５５】
ローラー１４を支承する軸受部１９は、ローラー連結板１７の両端部に配置される円筒孔で構成されており、円筒孔にはローラー連結板１７の端部側に開口する間隙２２が設けられている。間隙２２は、軸受部１９の端部側に形成された螺子２３のねじ込み機構によってその幅を調整できるものであり、幅を縮小することで軸受部１９の径を狭くして回転軸１８を締付けるように構成されている。
【００５６】
螺子２３のねじ込み機構は、図５（ｂ）に示すように、間隙を構成するローラー連結板１７の一方の端部側にばか穴２４を形成し、ローラー連結板１７の他方の端部側にタップ孔２５を設けることで構成しており、螺子２３のねじ込みを調整することによって、摩擦ダンパー２０の摩擦抵抗力は容易に制御することが出来る。
【００５７】
回転軸１８と軸受部１９との間に介在させている摩擦ダンパー２０は、摩擦力を発揮する材質のものであれば、特に限定されることなく採用可能であるが、本実施の形態では、耐摩耗性と調整の容易さからエキスパンデットメタルを採用しており、これを図５（ｃ）に示すような鍔付きの伸縮可能な円筒形に加工して、回転軸１８と軸受部１９との間に介在させている。
【００５８】
以上のように、本発明による展示用免震台では、回転軸１８と軸受部１９との間に介在させている摩擦ダンパー２０の摩擦抵抗力を調整することによって、免震装置４の初期始動が抑制されることから、鑑賞者等が展示物に無意識に触ることで発生するような小さな外力によっては、展示物上載台座３が揺動しないように機能することによって、展示物上載台座３の上に載置されている展示物が転倒破壊することを回避している。
【００５９】
次に、展示用免震台の積載重量調整方法について図６（ａ）の分解図と部分拡大図（ｂ）に基づいて説明する。
【００６０】
本発明による展示用免震台の積載重量調整方法は、展示物上載台座上に所定の積載重量が載置された際に摩擦ダンパーの摩擦係数が所定の摩擦係数になるように予め設定して置き、展示物上載台座上に展示物を載置した後に、展示物上載台座上の積載重量が所定の積載重量になるように、展示物上載台座に装備している重しを着脱して調整することを特徴としている。
【００６１】
これによって、熟練者でなければ調整が困難である摩擦ダンパーの摩擦係数は、予め設定したままで調整しないようにしており、操作の簡単な重しの着脱によることで摩擦抵抗力の調整を容易にしている。
【００６２】
即ち、図６（ａ）の分解図で示すように、単一方向免震装置４Ｂの上に配備されている展示物上載台座３には、着脱自在な二枚の重し１３、１３が装備されてあり、必要に応じて簡単に着脱できるように構成されている。そして、特に図示していないが、その上を外装板２６で封鎖することで展示用免震台としての美観を保っている。
【００６３】
重し１３の重量（ＬＬ２）については、上述したように展示用免震台を適切に作動させるために必要な摩擦係数（μ0）と適正摩擦抵抗力（Ｆ0）とを予め特定の値に設定していることから、ＬＬ２＝（ｍｇ−ＤＬ）−ＬＬ１としての算出値を基本にして決めるものであり、上載する展示物重量（ＬＬ１）に対応させて上式を満たせるように調整することができるように、重しに付加する重量を考慮することになる。
【００６４】
重し１３の材質としては、展示物上載台座を構成している通常の鋼板を使用することから、その重量（ＬＬ２）は、重し１３の平面積と厚さで設定し、調整巾は重し１３の分割個数等で制御することになるが、上記のような調整できる重量巾を確保できない場合には、その材質を他の比重を持った金属に変更したり、重し１３の厚さを展示物上載台座の厚さと異なるものに設定することもあり得るものであり、それらは重し１３の求められる機能面から選択されることになる。
【００６５】
又、分解図（ａ）を（ｂ）−（ｂ）矢視した図６（ｂ）の部分拡大図で示すように、平面積等を確定された重し１３の周辺端部には、図示のように展示物上載台座３に設けられている重し収納部２７に形成されている傾斜面２８に対応させて、同様の傾斜面２９を形成しており、展示物上載台座３への装着と取り外しを容易にすると同時に、展示物上載台座３への位置設定を確実にしている。
【００６６】
これによって、本実施の形態の場合には、展示用免震台を適切に作動させるために必要な摩擦係数（μ0）と適正摩擦抵抗力（Ｆ0）とを、展示物上載台座の重量を最大にした状態の値に予め設定していることから、展示用免震台の摩擦抵抗力を設定するために、重し１３を着脱させる調整は以下の選択を基本にして行われることになる。
○  上載する展示物が最大重量の場合  ………  全ての重しは撤去
○  上載する展示物が中庸に軽量の場合  ………  一部の重しを装備
○  上載する展示物が軽量の場合  ………  全ての重しを装備
【００６７】
これらの操作は、展示物上載台座３から外装板２６を外して、展示物上載台座３に設けられている重し収納部２７内に、所定の重し１３を脱着するだけの簡単な作業で実施できるものであるから、摩擦ダンパー２０の摩擦抵抗力を螺子２３のねじ込みによって調整するような特殊な技能を求められることに比較すると、この種の専門性を持たない学芸員であっても容易に調整できる作業であり、展示用免震台を現地に設置した後の維持管理面において極めて有効な手段である。
【００６８】
以上のように、上記の積載重量調整方法では、展示物上載台座の積載重量を想定しており、この予定積載重量の状態の下で、摩擦ダンパーの摩擦係数が所定の摩擦係数になるように予め特定しているものである。従って、想定している展示物上載台座の積載重量を外れることになる展示物を上載させることは、展示物上載台座の水平移動距離が予定外の値になり、壁面等への衝突等も想定されることから展示することができなくなることも懸念される。
【００６９】
しかしながら、このような場合には、予め設定して固定状態にしてある摩擦ダンパーの摩擦係数を設定し直すことによって対応することが可能である。
【００７０】
即ち、上載物の重量に対して水平移動量を超越させないように設定しようとすると、展示用免震台における適正摩擦抵抗力（Ｆ0）を維持することが必要になることから、上述と同様の検討を行うと、新規に上載が予定されている展示物重量（ＬＬ１）に対して、Ｆ0＝μ（ＤＬ＋ＬＬ１＋ＬＬ２）の関係から、特定されている各重量を考慮して求められる摩擦係数（μ）を、新しく設定するための摩擦係数値として再調整し直すことで対処することが可能である。
【００７１】
これによって、展示物上載台座への新規な積載重量に対応させて摩擦ダンパーの摩擦係数を設定し直し、しかる後に、展示物上載台座に装備した重しで展示物上載台座への積載重量を調整することで、展示物上載台座に適正摩擦抵抗力を維持させて、その水平移動距離を所定の範囲に止めることができるものであり、上載展示物の重量が、想定している値よりも大幅に変更する場合にも、設定してある摩擦ダンパーの摩擦係数を再設定することと所定の重しを脱着することで対応が可能である。
【００７２】
以上のように、本発明による展示用免震台の積載重量調整方法では、展示物上載台座に載置する展示物の重量に応じて展示物上載台座への積載重量を想定し、この積載重量に対応させて摩擦ダンパーの摩擦係数を所定の幅を持った値に設定してから、展示物上載台座に装備した重しで展示物上載台座への積載重量をさらに調整しており、これによって、展示物上載台座の水平移動距離を所定の範囲に止めているが、これに止まらずに、展示物の内容が想定している範囲を超越する場合には、摩擦ダンパーの摩擦係数をこれに対応させることで柔軟に対応できると共に、展示物上載台座に装備した重しの着脱によって展示物上載台座への積載重量を調整することで、展示物上載台座において所定の積載重量に調整する操作を簡単に処置できるものである。
【００７３】
以上、本発明を実施の形態に基づいて詳細に説明してきたが、本発明による展示用免震台及び積載重量調整方法は、上記実施の形態に何ら限定されるものでなく、その適用範囲、免震装置や摩擦ダンパーを構成する具体的な構造や種類及び重しの材質形状等に関しても、本発明の趣旨を逸脱しない範囲において種々の変更が可能であることは当然のことである。
【００７４】
【発明の効果】
請求項１に記載の発明である展示用免震台は、基本的に、支承盤台と展示物上載台座との間に振動エネルギーを吸収するための摩擦ダンパーを備えた免震装置を配備し、展示物上載台座上に所定の積載重量を載置した際に摩擦ダンパーの摩擦係数を所定の摩擦係数に設定して成る展示用免震台であって、摩擦ダンパーを備えた免震装置は、支承盤台と展示物上載台座の間に配置した上下一対のレール間に、少なくとも複数のローラを、展示物上載台座に上載された展示物の上載荷重がこれらローラとレールに加わるように配置すると共に、各ローラの回転軸を、これらの転動と移動が一体に行われるように、ローラ連結板に円筒孔で構成された軸受部で支承して当該ローラ連結板によって結合し、これら回転軸と軸受部間に摩擦ダンパーを装備することで構成し、摩擦ダンパーに設定した摩擦係数の下に、展示物上載台座の積載重量を所定の積載重量に調整するための重しを展示物上載台座に装備しているので、初期始動を抑制する機能を付加した免震機能を維持しながら展示物の重量に合わせた展示用免震台の摩擦抵抗力の調整を容易にしており、構造面においても小型軽量化すると共に美観を保持できる効果を発揮している。免震装置及びこれに装備する摩擦ダンパーの構成を簡潔にしており、展示用免震台の美観を維持する効果を発揮している。特に、展示物上載台座に載置する展示物の重量に応じて展示物上載台座への積載重量を想定し、この積載重量に対応させて摩擦ダンパーの摩擦係数を所定の幅を持った値に設定してから、展示物上載台座に装備した重しで展示物上載台座への積載重量をさらに調整しており、これによって、展示物上載台座の水平移動距離を所定の範囲に止めているが、これに止まらずに、展示物の内容が想定している範囲を超越する場合には、摩擦ダンパーの摩擦係数をこれに対応させることで柔軟に対応できると共に、展示物上載台座に装備した重しの着脱によって展示物上載台座への積載重量を調整することで、展示物上載台座において所定の積載重量に調整する操作を簡単に処置できるものである。
【００７６】
請求項２に記載の発明である展示用免震台は、請求項１に記載の展示用免震台において、重しを展示物上載台座に穿った重し収納部内に装備することを特徴としているので、上記機能に加えて、重しの展示物上載台座展示用免震台への装備が簡潔になり、展示用免震台の美観を維持する効果を発揮している。
【００７７】
請求項３に記載の発明である展示用免震台は、請求項１又は２に記載の展示用免震台において、摩擦ダンパーを備えた免震装置を直交方向に積層配置することを特徴としているので、上記機能に加えて、展示用免震台を全方位に配置できる効果を発揮している。
【００７８】
請求項４に記載される展示用免震台の積載重量調整方法は、請求項１乃至３のいずれかに記載の展示用免震台を用い、展示物上載台座上に所定の積載重量が載置された際に摩擦ダンパーの摩擦係数が所定の摩擦係数になるように予め設定して置き、展示物上載台座上に展示物を載置した後に、展示物上載台座上の積載重量が所定の積載重量になるように、展示物上載台座に装備している重しを着脱して調整することを特徴としているので、展示用免震台を現地に設置した後の維持管理面において極めて有効な効果を発揮している。特に、展示物上載台座に載置する展示物の重量に応じて展示物上載台座への積載重量を想定し、この積載重量に対応させて摩擦ダンパーの摩擦係数を所定の幅を持った値に設定してから、展示物上載台座に装備した重しで展示物上載台座への積載重量をさらに調整しており、これによって、展示物上載台座の水平移動距離を所定の範囲に止めているが、これに止まらずに、展示物の内容が想定している範囲を超越する場合には、摩擦ダンパーの摩擦係数をこれに対応させることで柔軟に対応できると共に、展示物上載台座に装備した重しの着脱によって展示物上載台座への積載重量を調整することで、展示物上載台座において所定の積載重量に調整する操作を簡単に処置できるものである。
【図面の簡単な説明】
【  図１】本発明による展示用免震台の斜視図
【  図２】本発明による展示用免震台の平面図
【  図３】本発明による展示用免震台の側面図
【  図４】本発明による展示用免震台の他の側面図
【  図５】本発明による展示用免震台における摩擦ダンパーの斜視図（ａ）と斜視図（ａ）の（ｂ）−（ｂ）矢視図（ｂ）及び斜視図（ａ）の（ｃ）−（ｃ）矢視図（ｃ）
【  図６】本発明による展示用免震台における重しの配置状態を示す分解図（ａ）と分解図（ａ）の（ｂ）−（ｂ）矢視の部分拡大図（ｂ）
【  図７】従来の展示用免震台の平面図（ａ）と平面図（ａ）の（ｂ）−（ｂ）矢視図（ｂ）
【符号の説明】
１  展示用免震台、  ２  支承盤台、  ３  展示物上載台座、
４  免震装置、  ４Ａ、Ｂ  単一方向免震装置、  ５  長辺、  ６  短辺、
７  架台フレーム、  ８、９支持枠、  １０  調整脚部材、
１１Ａ、Ｂ  コサインレール、  １２Ａ、Ｂ  コサインレール、
１３  重し、  １４  ローラー、  １５、１７  ローラー連結板、
１６  ローラー案内面、  １８  回転軸、  １９  軸受部、
２０  摩擦ダンパー、  ２１  Ｏリング、  ２２  間隙、  ２３  螺子、
２４  ばか穴、  ２５  タップ孔、  ２６  外装板、  ２７  重し収納部、
２８  傾斜面、  ３０  展示用免震台、  ３１  支承面、
３２  支持プレート、  ３３  免震装置、  ３３Ａ、Ｂ  単一方向免震装置、
３４    ３６Ａ  上コサインレール、  ３６Ｂ  下コサインレール、
３７  ローラー案内面、  ３８  ローラー、
４０Ａ、Ｂ  粘性ダンパー、  ４１  溝容器、  ４２  粘性体、
４３  抵抗板、
【図１】
0004545299.tif 000002
【図２】
0004545299.tif 000003
【図３】
0004545299.tif 000004
【図４】
0004545299.tif 000005
【図５】
0004545299.tif 000006
【図６】
0004545299.tif 000007
【図７】
0004545299.tif 000008